(57)【特許請求の範囲】
【請求項１】
表紙と、
前記表紙の内側に固着された被綴じシートとを含み、
表紙の被綴じシートを固着される領域は、熱を加えても湾曲しにくいシート材で形成され、且つ、背表紙部の大きさに対応した、熱により溶着するための、熱を加えても湾曲しにくいシート体を固着され、
前記シート体と被綴じシートの固着領域とが溶融により固着された、ファイルであって、
表紙の背表紙部に前記シート体が固着された状態において、発熱体の熱により、前記状態における前記シート体の被綴じシートを固着される領域と、前記被綴じシートの固着領域とを溶着させて、前記表紙の前記背表紙部に固着された前記シート体と、前記被綴じシートとを前記表紙の前記背表紙部に固着させたファイルとする際に、
前記シート体及び前記シート材は、いずれも、少なくとも前記シート材を構成として含む、前記表紙の前記背表紙部が、湾曲しないで形状を保つ部材であることを特徴とする、ファイル。
【請求項２】
表紙と、
前記表紙の内側に固着された被綴じシートとを含み、
表紙の被綴じシートを固着される領域は、熱で湾曲しにくいシート材で形成され、
且つ、背表紙部の大きさに対応した、熱を加えても湾曲しにくいシート体を固着され、
前記シート体を固着された前記表紙の背表紙部における被綴じシートを固着される領域と被綴じシートの固着領域とが溶融により固着された、ファイルであって、
表紙の背表紙部に前記シート体が固着された状態において、発熱体の熱により、前記状態における前記表紙の背表紙部における被綴じシートを固着される領域と、前記被綴じシートの固着領域とを溶着させて、前記シート体を固着された表紙の前記背表紙部における被綴じシートを固着される領域と、前記被綴じシートとを前記表紙の前記背表紙部に固着させたファイルとする際に、
前記シート体及び前記シート材は、いずれも、少なくとも前記シート材を構成として含む、前記表紙の前記背表紙部が湾曲しないで形状を保つ部材であることを特徴とする、ファイル。
【請求項３】
シート体は、熱可塑性樹脂シートである、
請求項１または２に記載のファイル。
【請求項４】
シート体は、両面粘着テープで表紙の被綴じシートが固着される領域に貼着された、
請求項１ないし３のいずれかに記載のファイル。
【請求項５】
表紙の被綴じシートが固着される領域を、熱を加えても湾曲しにくいシート材で形成し、且つ、背表紙部の大きさに対応した、熱により溶着するための、熱を加えても湾曲しにくいシート体を該領域に貼着するステップと、
前記シート体と、被綴じシートの固着領域とを溶融により固着するステップとを含む、表紙の内側に被綴じシートを固着するファイルの製造方法であって、
表紙の背表紙部に前記シート体が固着された状態において、発熱体の熱により、前記状態における前記シート体の被綴じシートを固着される領域と、前記被綴じシートの固着領域とを溶着させて、前記表紙の前記背表紙部に固着された前記シート体と、前記被綴じシートとを前記表紙の前記背表紙部に固着させたファイルとする際に、
前記シート体及び前記シート材は、いずれも、少なくとも前記シート材を構成として含む、前記表紙の前記背表紙部が、湾曲しないで形状を保つ部材であることを特徴とする、
ファイルの製造方法。
【請求項６】
表紙の被綴じシートが固着される領域を熱で湾曲しにくいシート材で形成するステップと、
熱を加えても湾曲しにくいシート体を表紙の被綴じシートが固着される領域に固着するステップと、
前記シート体を固着された前記表紙の背表紙部における被綴じシートを固着される領域と被綴じシートの固着領域とを溶融により固着するステップとを含む、表紙の内側に被綴じシートを固着するファイルの製造方法であって、
表紙の背表紙部に前記シート体が固着された状態において、発熱体の熱により、前記状態における前記表紙の背表紙部における被綴じシートを固着される領域と、前記被綴じシートの固着領域とを溶着させて、前記表紙の前記背表紙部における被綴じシートを固着される領域と、前記被綴じシートとを前記表紙の前記背表紙部に固着させたファイルとする際に、
前記シート体及び前記シート材は、いずれも、少なくとも前記シート材を構成として含む、前記表紙の前記背表紙部が湾曲しないで形状を保つ部材であることを特徴とする、
ファイルの製造方法。
【請求項７】
シート体は、熱可塑性樹脂シートからなる、
請求項５又は６に記載のファイルの製造方法。
【請求項８】
シート体を、表紙の被綴じシートが固着される領域に固着するステップは、
シート体を両面粘着テープで固着する、
請求項５ないし７のいずれかに記載のファイルの製造方法。
【発明の詳細な説明】
【技術分野】
【０００１】
この発明は、ファイル及びその製造方法に関し、特に例えば、透明ポケット式ファイル
等の被綴じシートを表紙に固着したファイル及びその製造方法に関する。
【背景技術】
【０００２】
従来のファイルの表紙の製造方法として、特許第２５２３２６１号の製本方法がある。
この従来の製本方法は、熱可塑性樹脂からなる被綴じシートを多数重ね合わせて被綴じ体を構成し、この被綴じ体の重ね合わせ端面と表紙の熱可塑性樹脂からなる背部内面とを対向させ、この間に発熱体を介在し、両者を同時に溶融した後、発熱体を抜き出して溶融樹脂で被綴じ体と表紙の背部内面とを接着させることを特徴とする製本方法である。
【０００３】
【特許文献１】特許第２５２３２６１号公報
【発明の開示】
【発明が解決しようとする課題】
【０００４】
従来の製本方法によれば、熱可塑性樹脂からなる被綴じシートを多数重ね合わせて構成した被綴じ体と表紙の熱可塑性樹脂からなる背部の内面とを接合して、表紙に被綴じシートを溶着している。
この方法によれば、表紙の背部の内面を下側にした状態で、被綴じ体の端面と表紙の背部の内面とを対向させると共に、その間に発熱体を介在させることができる寸法まで接近させ、表紙の背部の内面と被綴じ体の重ね合わせ端面とを介在させた発熱体により同時に溶融させて、両者を接合するように構成されている。この方法によれば、熱可塑性樹脂からなる表紙が、溶融温度よりも高い熱を発する発熱体によって溶融させるために、湾曲するおそれが強い。
ファイルは、湾曲すると、使用価値が低くなり、商品性を有しない。
それゆえに、この発明の主たる目的は、湾曲しないファイル及びその製造方法を提供することである。
【課題を解決するための手段】
【０００５】
この発明の請求項１にかかるファイルは、表紙と、前記表紙の内側に固着された被綴じシートとを含み、表紙の被綴じシートを固着される領域は、熱を加えても湾曲しにくいシート材で形成され、且つ、背表紙部の大きさに対応した、熱により溶着するための、熱を加えても湾曲しにくいシート体を固着され、前記シート体と被綴じシートの固着領域とが溶融により固着された、ファイルであって、表紙の背表紙部に前記シート体が固着された状態において、発熱体の熱により、前記状態における前記シート体の被綴じシートを固着される領域と、前記被綴じシートの固着領域とを溶着させて、前記表紙の前記背表紙部に固着された前記シート体と、前記被綴じシートとを前記表紙の前記背表紙部に固着させたファイルとする際に、前記シート体及び前記シート材は、いずれも、少なくとも前記シート材を構成として含む、前記表紙の前記背表紙部が、湾曲しないで形状を保つ部材であることを特徴とする、ファイルである。
この発明の請求項２にかかるファイルは、表紙と、前記表紙の内側に固着された被綴じシートとを含み、表紙の被綴じシートを固着される領域は、熱で湾曲しにくいシート材で形成され、且つ、背表紙部の大きさに対応した、熱を加えても湾曲しにくいシート体を固着され、前記シート体を固着された前記表紙の背表紙部における被綴じシートを固着される領域と被綴じシートの固着領域とが溶融により固着された、ファイルであって、表紙の背表紙部に前記シート体が固着された状態において、発熱体の熱により、前記状態における前記表紙の背表紙部における被綴じシートを固着される領域と、前記被綴じシートの固着領域とを溶着させて、前記シート体を固着された表紙の前記背表紙部における被綴じシートを固着される領域と、前記被綴じシートとを前記表紙の前記背表紙部に固着させたファイルとする際に、前記シート体及び前記シート材は、いずれも、少なくとも前記シート材を構成として含む、前記表紙の前記背表紙部が湾曲しないで形状を保つ部材であることを特徴とする、ファイルである。
この発明の請求項３にかかるファイルにおいては、シート体は、熱可塑性樹脂シートである、請求項１または２に記載のファイルである。
この発明の請求項４にかかるファイルにおいては、シート体は、両面粘着テープで表紙の被綴じシートが固着される領域に貼着された、請求項１ないし３のいずれかに記載のファイルである。
この発明の請求項５にかかるファイルの製造方法は、表紙の被綴じシートが固着される領域を、熱を加えても湾曲しにくいシート材で形成し、且つ、背表紙部の大きさに対応した、熱により溶着するための、熱を加えても湾曲しにくいシート体を該領域に貼着するステップと、前記シート体と、被綴じシートの固着領域とを溶融により固着するステップとを含む、表紙の内側に被綴じシートを固着するファイルの製造方法であって、表紙の背表紙部に前記シート体が固着された状態において、発熱体の熱により、前記状態における前記シート体の被綴じシートを固着される領域と、前記被綴じシートの固着領域とを溶着させて、前記表紙の前記背表紙部に固着された前記シート体と、前記被綴じシートとを前記表紙の前記背表紙部に固着させたファイルとする際に、前記シート体及び前記シート材は、いずれも、少なくとも前記シート材を構成として含む、前記表紙の前記背表紙部が、湾曲しないで形状を保つ部材であることを特徴とする、ファイルの製造方法である。
この発明の請求項６にかかるファイルの製造方法は、表紙の被綴じシートが固着される領域を熱で湾曲しにくいシート材で形成するステップと、熱を加えても湾曲しにくいシート体を表紙の被綴じシートが固着される領域に固着するステップと、前記シート体を固着された前記表紙の背表紙部における被綴じシートを固着される領域と被綴じシートの固着領域とを溶融により固着するステップとを含む、表紙の内側に被綴じシートを固着するファイルの製造方法であって、表紙の背表紙部に前記シート体が固着された状態において、発熱体の熱により、前記状態における前記表紙の背表紙部における被綴じシートを固着される領域と、前記被綴じシートの固着領域とを溶着させて、前記表紙の前記背表紙部における被綴じシートを固着される領域と、前記被綴じシートとを前記表紙の前記背表紙部に固着させたファイルとする際に、前記シート体及び前記シート材は、いずれも、少なくとも前記シート材を構成として含む、前記表紙の前記背表紙部が湾曲しないで形状を保つ部材であることを特徴とする、ファイルの製造方法である。
この発明の請求項７にかかるファイルの製造方法においては、シート体は、熱可塑性樹脂シートからなる、請求項５又は６に記載のファイルの製造方法である。
この発明の請求項８にかかるファイルの製造方法においては、シート体を、表紙の被綴じシートが固着される領域に固着するステップは、シート体を両面粘着テープで固着する、請求項５ないし７のいずれかに記載のファイルの製造方法である。
【発明の効果】
【０００６】
この発明によれば、表紙と、前記表紙の内側に固着された被綴じシートとを含み、表紙の被綴じシートを固着される領域は、熱を加えても湾曲しにくいシート材で形成され、且つ、背表紙部の大きさに対応した、熱により溶着するための、熱を加えても湾曲しにくいシート体を固着され、前記シート体と被綴じシートの固着領域とが溶融により固着された、ファイルであって、表紙の背表紙部に前記シート体が固着された状態において、発熱体の熱により、前記状態における前記シート体の被綴じシートを固着される領域と、前記被綴じシートの固着領域とを溶着させて、前記表紙の前記背表紙部に固着された前記シート体と、前記被綴じシートとを前記表紙の前記背表紙部に固着させたファイルとする際に、前記シート体及び前記シート材は、いずれも、少なくとも前記シート材を構成として含む、前記表紙の前記背表紙部が、湾曲しないで形状を保つ部材であることを特徴とするので、被綴じシートが固着された表紙が湾曲しない。
この発明によれば、表紙と、前記表紙の内側に固着された被綴じシートとを含み、表紙の被綴じシートを固着される領域は、熱で湾曲しにくいシート材で形成され、且つ、背表紙部の大きさに対応した、熱を加えても湾曲しにくいシート体を固着され、前記シート体を固着された前記表紙の背表紙部における被綴じシートを固着される領域と被綴じシートの固着領域とが溶融により固着された、ファイルであって、表紙の背表紙部に前記シート体が固着された状態において、発熱体の熱により、前記状態における前記表紙の背表紙部における被綴じシートを固着される領域と、前記被綴じシートの固着領域とを溶着させて、前記シート体を固着された表紙の前記背表紙部における被綴じシートを固着される領域と、前記被綴じシートとを前記表紙の前記背表紙部に固着させたファイルとする際に、前記シート体及び前記シート材は、いずれも、少なくとも前記シート材を構成として含む、前記表紙の前記背表紙部が湾曲しないで形状を保つ部材であることを特徴とするので、被綴じシートが固着された表紙が湾曲しない。
請求項３の発明によれば、シート体は、熱可塑性樹脂シートであるので、加熱しても表紙まで熱が伝わることを防ぐとともに、それ自身熱で溶けて、表紙を湾曲させることなく被綴じシートを溶着することができる。
請求項４の発明によれば、シート体は、両面粘着テープで表紙の被綴じシートが固着される領域に貼着されているので、シート体を表紙に固着するときに、表紙を湾曲させるおそれがない。
この発明のファイルの製造方法によれば、表紙の被綴じシートが固着される領域を、熱を加えても湾曲しにくいシート材で形成し、且つ、背表紙部の大きさに対応した、熱により溶着するための、熱を加えても湾曲しにくいシート体を該領域に貼着するステップと、前記シート体と、被綴じシートの固着領域とを溶融により固着するステップとを含む、表紙の内側に被綴じシートを固着するファイルの製造方法であって、表紙の背表紙部に前記シート体が固着された状態において、発熱体の熱により、前記状態における前記シート体の被綴じシートを固着される領域と、前記被綴じシートの固着領域とを溶着させて、前記表紙の前記背表紙部に固着された前記シート体と、前記被綴じシートとを前記表紙の前記背表紙部に固着させたファイルとする際に、前記シート体及び前記シート材は、いずれも、少なくとも前記シート材を構成として含む、前記表紙の前記背表紙部が、湾曲しないで形状を保つ部材であることを特徴とするので、湾曲しないファイルを得ることができる。
この発明のファイルの製造方法によれば、表紙の被綴じシートが固着される領域を熱で湾曲しにくいシート材で形成するステップと、熱を加えても湾曲しにくいシート体を表紙の被綴じシートが固着される領域に固着するステップと、前記シート体を固着された前記表紙の背表紙部における被綴じシートを固着される領域と被綴じシートの固着領域とを溶融により固着するステップとを含む、表紙の内側に被綴じシートを固着するファイルの製造方法であって、表紙の背表紙部に前記シート体が固着された状態において、発熱体の熱により、前記状態における前記表紙の背表紙部における被綴じシートを固着される領域と、前記被綴じシートの固着領域とを溶着させて、前記表紙の前記背表紙部における被綴じシートを固着される領域と、前記被綴じシートとを前記表紙の前記背表紙部に固着させたファイルとする際に、前記シート体及び前記シート材は、いずれも、少なくとも前記シート材を構成として含む、前記表紙の前記背表紙部が湾曲しないで形状を保つ部材であることを特徴とするので、湾曲しないファイルを得ることができる。
請求項７の発明のファイルの製造方法によれば、シート体は、熱可塑性樹脂シートからなるので、加熱しても表紙まで熱が伝わることを防ぐとともに、それ自身熱で溶けて、表紙を湾曲させることなく被綴じシートを溶着することができる。
請求項８の発明のファイルの製造方法によれば、シート体を、表紙の被綴じシートが固着される領域に固着するステップは、シート体を両面粘着テープで固着するので、シート体を表紙に固着するときに、表紙を湾曲させるおそれがない。
【０００７】
この発明の上述の目的、その他の目的、特徴および利点は、図面を参照して行う以下の発明を実施するための最良の形態の説明から一層明らかになろう。
【発明を実施するための最良の形態】
【０００８】
図１は、この発明の一実施の形態であるファイルの内面側の斜視図解図である。
図２は、図１図示ファイルのＡ−Ａ断面図解図である。
図３は、図１図示表紙の製法を説明する斜視図解図である。
図４は、図１図示表紙の製法を説明する斜視図解図である。
このファイル１０は、表表紙部１２ａと裏表紙部１２ｂと背表紙部１４とを備える表紙１６と、前記表表紙部１２ａと裏表紙部１２ｂとの間において、背表紙部１４の内側に溶着された透明ポケットを備えるポリプロピレン製シートからなる被綴じシート１８とを有する。
【０００９】
表紙１６は、たとえば熱で湾曲しにくいボール紙などのようなシート材からなる芯材２０と、前記芯材２０の表面の全面に亘って貼着され且つ裏面側に向けて折り曲げられ貼着されたシート、たとえばポリプロピレン製シートなどのような合成樹脂製シートからなる表面材３０とを備える、いわゆる包み貼り表紙である。
なお、この明細書においては、シートには、シート、フィルム、シート状物およびフィルム状物を含んでいる。
【００１０】
芯材２０は、表表紙部１２ａと裏表紙部１２ｂと背表紙部１４とを合わせた大きさを備え、その厚さは、１ｍｍないし１．５ｍｍであり、比較的薄いしなやかさを有するボール紙からなる。
表面材３０は、前記芯材２０の上端縁２２ａおよび下端縁２２ｂよりも外方、すなわち、上下方向に芯材２０の幅よりも長い幅を有してのび、且つ、前記芯材２０の左端縁２２ｃおよび右端縁２２ｄよりも外方、すなわち、長手方向に芯材２０の長さよりも若干長い幅を有してのびる大きさを有する、折曲可能な長方形のシート、たとえばポリプロピレン製シートからなる。
【００１１】
前記表面材３０は、前記芯材２０の一方主面（表面）に積層され、たとえばエチレン酢酸ビニル共重合樹脂を主剤とする水性エマルジョン接着剤、澱粉系接着剤などのような水溶性接着剤により、芯材２０の一方主面（表面）及び他方主面（裏面）に接着されている。
【００１２】
表面材３０は、図１ないし図４において示すように、芯材２０の上端縁２２ａおよび下端縁２２ｂよりも外に出た表面材３０の延長部３２ａおよび延長部３２ｂ（芯材２０をくるむくるみ領域）が、芯材２０の上端縁２２ａおよび下端縁２２ｂ近傍において折り曲げられて芯材２０の他方主面（裏面）に重ねられ、且つ、芯材２０の左端縁２２ｃおよび右端縁２２ｄよりも外に出た表面材３０の延長部３２ｃおよび延長部３２ｄ（芯材２０をくるむくるみ領域）が、芯材２０の左端縁２２ｃおよび右端縁２２ｄ近傍において折り曲げられて芯材２０の他方主面（裏面）に重ねられ、水溶性接着剤により接着されている。
芯材２０の四隅などにおいて、表面材３０の延長部３２ａおよび延長部３２ｂが折り重なって接着される領域は、ウエルダで溶着して、より一層強く接着されるようにしてもよい。
【００１３】
この表紙１６は、図５において示すように、表面材３０の延長部３２ａおよび延長部３２ｂならびに延長部３２ｃおよび延長部３２ｄが芯材２０の裏面側に折り曲げられた部分を覆うように、裏面（内側表面側）に内面材４０が、水溶性接着剤により貼着されている。
内面材４０は、芯材２０よりも若干小さく且つ表面材３０の延長部３２ａおよび延長部３２ｂならびに延長部３２ｃおよび延長部３２ｄが芯材２０の裏面側に折り曲げられた部分を覆うことが可能な大きさを有する、長方形のポリプロピレン製シートである。
【００１４】
表紙１６の背表紙部１４の内側（内面材４０の表面）には、図２及び図７において示すように、両面粘着テープ５２又は接着剤で、ポリプロピレン製シートからなるシート体５０が接着されている。接着剤は、ホットメルト型接着剤のような加熱して接着するものではなく、加熱しないで接着するものがよい。
このシート体５０は、表紙１６の背表紙部１４の大きさに対応した長方形で、厚さ０．８ないし１．0ｍｍのポリプロピレン製シートで、熱を加えても湾曲しにくく、且つ、被綴じシート１８と熱溶着することができるものである。
【００１５】
被綴じシート１８は、多数枚重ね合わせられ、その重ね合わされた端面、すなわち被綴じシート１８のポケットが形成されていない綴じ代である被綴じシート１８が固着される領域において、表紙１６に固着されている。
表紙１６の被綴じシート１８が固着される領域である背表紙部１４の内側のシート体５０の内側面は、溶融され、被綴じシート１８の固着領域たる綴じ代も溶融され、溶融したシート体５０の内面側と被綴じシート１８の綴じ代とを接触させて両者を接合し、被綴じシート１８は表紙１６に固着されている。
【００１６】
この実施の形態においては、シート体５０は比較的厚みを有し、被綴じシート１８の端縁近傍とシート体５０とを、一定温度に加熱された熱板などからなる発熱体をもって加熱し、被綴じシート１８の固着される領域とシート体５０の固着される領域とを溶融させても、シート体５０は全体が溶融することがなく、その被綴じシート１８に固着される領域の厚み方向の中間まで溶融されるに過ぎない。したがって、発熱体の熱が背表紙部１４まで及ぶことは無い。
また、表紙１６の芯材２０は、ボール紙のような加熱されても比較的カールしにくい材料をもって形成されているので、発熱体による熱が表紙１６の背表紙部１４に及んだとしても、表紙１６はカールすることはない。
【００１７】
次に、ファイル１０の製法について、主として図３ないし図１３に基づいて、説明する。
まず、芯材２０を準備する。
芯材２０は、表紙１６を構成する表表紙部１２ａと裏表紙部１２ｂおよび背表紙部１４の幅および長さにほぼ一致する幅および長さを有するボール紙製シート、たとえばその厚さ１ｍｍないし１．５ｍｍの方形板状体からなる（図３図示）。
芯材２０は、表紙部領域２４と背表紙部領域２６とに分かれ、表紙部領域２４は、背表紙部領域２６の左側方に連設された表表紙部領域２４ａと背表紙部１４の右側方に連設された裏表紙部領域２４ｂとを備え、背表紙部領域２６と表表紙部領域２４ａとは折り曲げ部２８ａ（図３図示Ｘ−Ｘ線）によって区画され、背表紙部領域２６と裏表紙部領域２４ｂとは折り曲げ部２８ｂ（図３図示Ｙ−Ｙ線）によって区画されている。
【００１８】
一方、表面材３０を準備する。
表面材３０は、前記芯材２０の上端縁２２ａおよび下端縁２２ｂよりも外方、すなわち、上下方向に芯材２０の幅よりも長い幅を有して延び、且つ、前記芯材２０の左端縁２２ｃおよび右端縁２２ｄよりも外方、すなわち、長手方向に芯材２０の長さよりも若干長い幅を有して延びる大きさを有する、折曲可能な長方形シート、たとえばポリプロピレン製長方形シートからなる（図３図示）。
【００１９】
そして、前記表面材３０を前記芯材２０の一方主面たる表面（外側表面）に重ね、接着剤により接着する（図４図示）。表面材３０を芯材２０に接着する接着剤としては、水溶性接着剤が用いられる。
表面材３０は、前記芯材２０の上端縁２２ａおよび下端縁２２ｂよりも外方に延びた表面材３０の延長部３２ａおよび延長部３２ｂがほぼ同一の長さをもって芯材２０の上端縁２２ａおよび下端縁２２ｂよりも外方に延びた状態、ならびに前記芯材２０の左端縁２２ｃおよび右端縁２２ｄよりも外方に延びた表面材３０の延長部３２ｃおよび延長部３２ｄがほぼ同一の長さをもって芯材２０の左端縁２２ｃおよび芯材２０の右端縁２２ｄよりも外方に延びた状態において、表面接着領域３４を芯材２０の表面に載置し、接着する（図４図示）。
【００２０】
そして、芯材２０の上端縁２２ａおよび下端縁２２ｂよりも外方に延びた表面材３０の延長部３２ａおよび延長部３２ｂ（くるみ領域３６）を芯材２０の上端縁２２ａおよび下端縁２２ｂ近傍において芯材２０の他方主面たる裏面（内側表面）側に折り曲げ、芯材２０の裏面（内側表面）に重ねて接着するとともに、芯材２０の左端縁２２ｃおよび芯材２０の右端縁２２ｄよりも外方に延びた表面材３０の延長部３２ｃおよび延長部３２ｄ（くるみ領域３６）を芯材２０の左端縁２２ｃおよび右端縁２２ｄ近傍において芯材２０の裏面（内側表面）側に折り曲げ、芯材２０の裏面（内側表面）に重ねて接着して芯材２０をくるみ、表紙部材を形成する（図３及び図４図示）。
【００２１】
次に、図５に示すような内面材４０を準備する。内面材４０は、芯材２０よりも若干小さく且つ表面材３０の延長部３２ａおよび延長部３２ｂならびに延長部３２ｃおよび延長部３２ｄが芯材２０の裏面側に折り曲げられた部分を覆うことが可能な大きさを有する、芯材２０と相似形である方形のポリプロピレン製シートである。
内面材４０は、表面材３０の延長部３２ａ及び延長部３２ｂ並びに延長部３２ｃ及び延長部３２ｄが芯材２０の裏面側に折り曲げられたくるみ領域３６を覆うように、その裏面接着領域４４を芯材２０の裏面に接着し且つ表面材３０のくるみ領域３６の表面（内側表面側）に、例えば水溶性接着剤によって接着する。
【００２２】
次に、背表紙部１４と表表紙部１２ａとの境界線上（表紙１６の上端縁１６ａと表紙１６の下端縁１６ｂと交差する仮想線Ｘ−Ｘ線上）と、背表紙部１４と裏表紙部１２ｂとの境界線上（表紙１６の上端縁１６ａと表紙１６の下端縁１６ｂと交差する仮想線Ｙ−Ｙ線上）において、芯材２０の折り曲げを容易にするために、表面（外側表面）から裏面（内側表面）に向けて表紙１６を凹ませるヒンジ加工を施す（図６図示）。
ヒンジ加工は、芯材２０の折り曲げ部２８ａ（芯材２０の上端縁２２ａと芯材２０の下端縁２２ｂと交差する仮想線Ｘ−Ｘ線上）及び折り曲げ部２８ｂ（芯材２０の上端縁２２ａと芯材２０の下端縁２２ｂと交差する仮想線Ｙ−Ｙ線上）において施されている。
【００２３】
次に、図７において示すように、背表紙部１４の内側面（内面材４０の表面）に、両面粘着テープ５２によって、厚さ０．８ないし１．０ｍｍの長方形のポリプロピレン製シート体５０を貼り付ける。
【００２４】
一方、被綴じシート１８を多数枚重ね合わせた被綴じシート群を準備し、その固着される領域である端縁の近傍すなわち綴じ代を、背表紙部１４の内側に対向させる。
このとき、表紙１６は、表表紙部１２ａと裏表紙部１２ｂとを折り曲げ部２８ａ及び折り曲げ部２８ｂで折り曲げ、表表紙部１２ａと裏表紙部１２ｂとは対向した状態にする。
【００２５】
そして、図８において示すように、対向した背表紙部１４の内側のシート体５０の内側面と被綴じシート１８の綴じ代との間に、内部にシーズヒーター等が内蔵された板状の発熱体６０を介在させ、ポリプロピレン製シート体５０の溶融温度が１２０℃ないし１３０℃に対し、発熱体６０を１７０℃ないし１８０℃前後に加熱し（図９参照）、背表紙部１４のシート体５０と被綴じシート１８の綴じ代に接触させて両者を溶融させる（図１０参照）。その後、発熱体６０を引き抜き（図１１参照）、被綴じシート１８とシート体５０とを接触させて（図１２参照）、シート体５０の内側面に被綴じシート１８の綴じ代を溶着し、表紙１６に被綴じシート１８からなる被綴じシート群を固着する（図１３参照）。
【００２６】
この実施の形態によれば、発熱体６０の熱は、シート体５０にのみ及び、シート体５０の内側面近傍と被綴じシート１８の綴じ代を溶融させるのみで、シート体５０の外側面、すなわち背表紙部１４に接着された面側を溶融させること無く、且つ、表紙１６の背表紙部１４には余り及ばない。仮に熱が及んだとしても、芯材２０は、カールしにくいものからなるために、表紙１６と背表紙部１４は湾曲することなく適宜な形状を保持している。
【図面の簡単な説明】
【００２７】
【図１】この発明の一実施の形態であるファイルの内面側の斜視図解図である。
【図２】図１図示ファイルのＡ−Ａ断面図解図である。
【図３】図１図示表紙の製法を説明する斜視図解図である。
【図４】図１図示表紙の製法を説明する斜視図解図である。
【図５】図１図示表紙の製法を説明する斜視図解図である。
【図６】図１図示表紙の製法を説明する斜視図解図である。
【図７】図１図示表紙の製法を説明する斜視図解図である。
【図８】図１図示ファイルの製法を説明する正面図解図である。
【図９】図１図示ファイルの製法を説明する正面図解図である。
【図１０】図１図示ファイルの製法を説明する正面図解図である。
【図１１】図１図示ファイルの製法を説明する正面図解図である。
【図１２】図１図示ファイルの製法を説明する正面図解図である。
【図１３】図１図示ファイルの製法を説明する正面図解図である。
【符号の説明】
【００２８】
１０  ファイル
１２ａ  表表紙部
１２ｂ  裏表紙部
１４  背表紙部
１６  表紙
１６ａ  表紙の上端縁
１６ｂ  表紙の下端縁
１８  被綴じシート
２０  芯材
２２ａ  芯材の上端縁
２２ｂ  芯材の下端縁
２２ｃ  芯材の左端縁
２２ｄ  芯材の右端縁
２４  表紙部領域
２４ａ  表表紙部領域
２４ｂ  裏表紙部領域
２６  背表紙部領域
２８ａ，２８ｂ  折り曲げ部
３０  表面材
３２ａ，３２ｂ，３２ｃ，３２ｄ  表面材の延長部
３４  表面接着領域
３６  くるみ領域
４０  内面材
４４  裏面接着領域
５０  シート体
５２  両面粘着テープ
６０  発熱体
【図１】
0004694962.tif 000002
【図２】
0004694962.tif 000003
【図３】
0004694962.tif 000004
【図４】
0004694962.tif 000005
【図５】
0004694962.tif 000006
【図６】
0004694962.tif 000007
【図７】
0004694962.tif 000008
【図８】
0004694962.tif 000009
【図９】
0004694962.tif 000010
【図１０】
0004694962.tif 000011
【図１１】
0004694962.tif 000012
【図１２】
0004694962.tif 000013
【図１３】
0004694962.tif 000014